(57)【要約】【課題】ゴキブリを瞬時に吸引して捕獲カセットに捕獲し、捕獲カセットに入れたまま廃棄処理することができるゴキブリ瞬間吸引捕獲器を提供する。【解決手段】ボタン３５を引くと、ボンベ３４から圧縮空気が切り替え器３６を介して配管２１ａ、ｂに送られる。圧縮空気は吸引管２の先端部において噴出し、負圧を発生させる。吸引管２は、発生した負圧によってゴキブリを吸引する。また、負圧発生器３１はボンベ３４から供給された圧縮空気により空気吸引室３２に所要の負圧を発生させる。空気吸引室３２は、捕獲カセット４内部の空気を吸引切り替え器３７を介して吸引する。捕獲カセット４は内部の空気が吸引されて負圧になると、蓋４１が開き、吸引されたゴキブリを粘着材４３に捕らえる。捕獲カセット４は、装着手段１１のボタンを押下することにより排出される。【選択図】  図１
2004337019.tif 000002
【特許請求の範囲】
【請求項１】
ゴキブリを吸引して捕獲し、殺虫するゴキブリ瞬間吸引捕獲器であって、
ゴキブリを吸引する先端部から内部に向けて圧縮空気を噴出させる１つまたは複数の配管を有する伸縮可能な吸引管と、
開閉可能な蓋を有し、吸引されたゴキブリを付着させる粘着材を内壁に塗布した捕獲カセットと、
前記吸引管を装着する吸引管装着口と、前記捕獲カセットを着脱自在に装着できる捕獲カセット装着手段と、装着された前記吸引管と捕獲カセットを接続する空洞と、前記捕獲カセットの内部の空気を排出する空気排出口とを備える筐体部と、
圧縮空気を充填した１つまたは複数のボンベと、該ボンベを装着するボンベ装着手段と、前記筐体部に装着された前記吸引管の配管に前記ボンベから圧縮空気を送出する圧縮空気送出切り替え手段と、前記筐体部に装着された前記捕獲カセット内部の空気を吸引する空気吸引室と、前記捕獲カセット内部の空気の排出路と前記空気吸引室を接続し、前記圧縮空気送出切り替え手段に連動して排出路の開閉を行う吸引切り替え手段と、前記ボンベから供給された圧縮空気により前記空気吸引室に所要の負圧を発生させる負圧発生手段と、該負圧発生手段と前記空気吸引室から排出された空気を、騒音を吸収して排出する空気排出手段とを備える吸引部と、
を具備することを特徴とするゴキブリ瞬間吸引捕獲器。
【請求項２】
ゴキブリを吸引して捕獲し、殺虫するゴキブリ瞬間吸引捕獲器であって、
ゴキブリを吸引する先端部から内部に向けて圧縮空気を噴出させる１つまたは複数の配管を有する伸縮可能な吸引管と、
開閉可能な蓋を有し、吸引されたゴキブリを付着させる粘着材を内壁に塗布した捕獲カセットと、
前記吸引管を装着する吸引管装着口と、前記捕獲カセットを着脱自在に装着できる捕獲カセット装着手段と、装着された前記吸引管と捕獲カセットを接続する空洞と、前記捕獲カセットの内部の空気を排出する空気排出口とを備える筐体部と、
圧縮空気を充填した１つまたは複数のボンベと、該ボンベを装着するボンベ装着手段と、前記筐体部に装着された前記吸引管の配管に前記ボンベから圧縮空気を送出する圧縮空気送出切り替え手段と、前記筐体部に装着された前記捕獲カセット内部の空気を吸引する空気吸引室と、前記捕獲カセット内部の空気の排出路と前記空気吸引室を接続し、前記圧縮空気送出切り替え手段に連動して排出路の開閉を行う吸引切り替え手段と、電動モーターにより駆動され前記空気吸引室に所要の負圧を発生させる負圧発生手段と、前記電動モーターに電力を供給する充電式蓄電池と、前記空気吸引室から排出された空気の排出手段とを備える吸引部と、
を具備することを特徴とするゴキブリ瞬間吸引捕獲器。
【請求項３】
前記捕獲カセットは、内部の負圧によって開く蓋と、１つまたは複数の空気排出口を有し、一部を半固形、例えばゼリー状の粘着材により充填され、該粘着材によって充填されていない部分の内壁を粘着液により塗布されていることを特徴とする請求項１または請求項２に記載のゴキブリ瞬間吸引捕獲器。
【発明の詳細な説明】
【０００１】
【発明の属する技術分野】
この発明は、ゴキブリを瞬時に吸引して捕獲カセットに捕獲し、捕獲カセットを廃棄処理することによって、捕獲後のゴキブリを見ることなく、衛生的に処理することができるゴキブリ瞬間吸引捕獲器に関する。
【０００２】
【従来の技術】
従来、ゴキブリの捕獲器として、粘着材、あるいは殺虫液を塗布したゴキブリの捕獲紙を有する箱型でゴキブリの入り込むのを待ち受け長期間設置するものや掃除機の吸引力を利用して、出現したゴキブリを吸引し、処理するものなどが用いられている。掃除機の吸引力を利用するものは、掃除機のホース先端部、吸い込み口にゴキブリを捕獲する粘着部を設けた円筒状のコキブリ取り器を取り付けて吸引する（例えば、特許文献１参照）。
【０００３】
【特許文献１】
特開平１１−１８６６２号公報（第２−３頁、第２図）
【０００４】
【発明が解決しようとする課題】
しかしながら、ゴキブリの入り込むのを待ち受ける型のものは、夜間や人の不在時に活動するゴキブリを捕獲するには有効であるが、目の前に出現したゴキブリを速やかに捕獲して、処理するために用いるようには作られていない。また、捕獲したゴキブリを目にせざるを得ないことやゴキブリが張り付いて動いている捕獲器を処理するときの不快感を避けることができないという問題がある。また、特許文献１の図２に示すコキブリ取り器にあっては、出現したゴキブリを吸引して処理するのに適してはいるが、突然出現するゴキブリや素早く動き回るゴキブリに対処するには可搬性のある掃除機などの吸引装置を準備しなければならず、咄嗟の場合の対応が難しい。また、捕獲したゴキブリを処理するとき、箱型のものと同様に、ゴキブリ取り器に付着しているゴキブリを目にしたり、捕獲したゴキブリが動くのを感じるときの不快感を避けることができないという問題がある。
【０００５】
本発明は、上記の点に鑑みてなされたもので、その目的は、出現したゴキブリを瞬時に吸引し、素早く動き回るゴキブリも捕獲することができるゴキブリ瞬間吸引捕獲器を提供することにある。また他の目的は、吸引したゴキブリを捕獲カセットの充填材に埋め込ませて捕獲し、捕獲カセットの廃棄処理を行うことによってゴキブリを見たり、あるいは感じたりすることなく処理できるようにして廃棄処理のときの不快感をなくすことができるゴキブリ瞬間吸引捕獲器を提供することにある。
【０００６】
【課題を解決するための手段】
上記の課題を解決するために、請求項１に記載の発明は、ゴキブリを吸引して捕獲し、殺虫するゴキブリ瞬間吸引捕獲器であって、ゴキブリを吸引する先端部から内部に向けて圧縮空気を噴出させる１つまたは複数の配管を有する伸縮可能な吸引管と、開閉可能な蓋を有し、吸引されたゴキブリを付着させる粘着材を内壁に塗布した捕獲カセットと、前記吸引管を装着する吸引管装着口と、前記捕獲カセットを着脱自在に装着できる捕獲カセット装着手段と、装着された前記吸引管と捕獲カセットを接続する空洞と、前記捕獲カセットの内部の空気を排出する空気排出口とを備える筐体部と、圧縮空気を充填した１つまたは複数のボンベと、該ボンベを装着するボンベ装着手段と、前記筐体部に装着された前記吸引管の配管に前記ボンベから圧縮空気を送出する圧縮空気送出切り替え手段と、前記筐体部に装着された前記捕獲カセット内部の空気を吸引する空気吸引室と、前記捕獲カセット内部の空気の排出路と前記空気吸引室を接続し、前記圧縮空気送出切り替え手段に連動して排出路の開閉を行う吸引切り替え手段と、前記ボンベから供給された圧縮空気により前記空気吸引室に所要の負圧を発生させる負圧発生手段と、該負圧発生手段と前記空気吸引室から排出された空気を、騒音を吸収して排出する空気排出手段とを備える吸引部とを具備することを特徴とするゴキブリ瞬間吸引捕獲器である。
【０００７】
また、請求項２に記載の発明は、ゴキブリを吸引して捕獲し、殺虫するゴキブリ瞬間吸引捕獲器であって、ゴキブリを吸引する先端部から内部に向けて圧縮空気を噴出させる１つまたは複数の配管を有する伸縮可能な吸引管と、開閉可能な蓋を有し、吸引されたゴキブリを付着させる粘着材を内壁に塗布した捕獲カセットと、前記吸引管を装着する吸引管装着口と、前記捕獲カセットを着脱自在に装着できる捕獲カセット装着手段と、装着された前記吸引管と捕獲カセットを接続する空洞と、前記捕獲カセットの内部の空気を排出する空気排出口とを備える筐体部と、圧縮空気を充填した１つまたは複数のボンベと、該ボンベを装着するボンベ装着手段と、前記筐体部に装着された前記吸引管の配管に前記ボンベから圧縮空気を送出する圧縮空気送出切り替え手段と、前記筐体部に装着された前記捕獲カセット内部の空気を吸引する空気吸引室と、前記捕獲カセット内部の空気の排出路と前記空気吸引室を接続し、前記圧縮空気送出切り替え手段に連動して排出路の開閉を行う吸引切り替え手段と、電動モーターにより駆動され前記空気吸引室に所要の負圧を発生させる負圧発生手段と、前記電動モーターに電力を供給する充電式蓄電池と、前記空気吸引室から排出された空気の排出手段とを備える吸引部とを具備することを特徴とするゴキブリ瞬間吸引捕獲器である。
【０００８】
また、請求項３に記載の発明は、請求項１または請求項２に記載のゴキブリ瞬間吸引捕獲器において、前記捕獲カセットは、内部の負圧によって開く蓋と、１つまたは複数の空気排出口を有し、一部を半固形、例えばゼリー状の粘着材により充填され、該粘着材によって充填されていない部分の内壁を粘着液により塗布されていることを特徴とする。
【０００９】
【発明の実施の形態】
以下、図面を参照して本発明の実施の形態について説明する。
【００１０】
［第１の実施の形態］図１は、第１の実施の形態によるゴキブリ瞬間吸引捕獲器を示す概略縦断面図である。同図において、２は、ゴキブリを吸引する吸引管であり、先端部において、配管２１ａ、ｂから圧縮空気が噴出されることにより発生する負圧によってゴキブリを吸引する。３は、圧縮空気を充填したボンベ３４と、空気吸引室３２と、負圧発生器３１を備える吸引部である。ボンベ３４の圧縮空気は、圧縮空気の送出を切り替える切り替え器３６を介して配管２１と負圧発生器３１へ供給される。切り替え器３６は、ボタン３５が押されている間、圧縮空気を送出する。負圧発生器３１は、ボンベ３４から供給される圧縮空気を用いて空気吸引室３２に所要の負圧を発生させる。負圧発生部３１と空気吸引室３２から排出された空気は、排出器３３によって騒音を吸収した後、外部に排出される。
【００１１】
１は、筐体部であり、吸引管２と吸引されたゴキブリを捕獲する捕獲カセット４を装着し、吸引部３に装着される。筐体部１は、下部に捕獲カセット４を挿入する取付け口を有し、取付け口から挿入された捕獲カセット４は装着手段１１によって筐体部１に固定される。また、装着手段１１のボタンを押下することによって捕獲カセット４は取付け口から排出される。
【００１２】
図３は捕獲カセット４の縦断面図である。蓋４１は、常態では閉じており、ゴキブリを吸引して内部が負圧になった場合に開く。捕獲カセット４の内部の約２分の１は、吸引したゴキブリが埋め込まれ、動きを止められるようにゼリー状の粘着材４３により充填されている。なお、半固形の粘着材４３は、ゼリー状に限られるものではなく、泡状でも良い。また、粘着材が充填されていない部分の内壁には粘着液４４が塗布されており、一度捕獲されたゴキブリが外部へ逃げ出すのを防いでいる。４５ａ、ｂは、捕獲カセット４内部の空気を排出する排出口である。筐体部１に挿入された捕獲カセット４は、突起４２と装着手段１１によって固定される。
【００１３】
ゴキブリを吸引する際には、先ず、吸引管２の吸引口をゴキブリから１〜２ｃｍのところまで近づけボタン３５を引く。ボタン３５が引かれると、切り替え器３６を介してボンベ３４から圧縮空気が配管２１と負圧発生器３１に送出される。配管２１ａ、ｂに送られた圧縮空気は吸引管２の先端部から噴出して、先端部に負圧を発生させる。先端部の負圧によってゴキブリが吸引管２に吸引される。
【００１４】
一方、負圧発生器３１は、圧縮空気によって空気吸引室３２に負圧を発生させる。ボタン３５が引かれたとき、切り替え器３６の動作と連動して吸引切り替え器３７が開かれ、捕獲カセット４内部の空気は、空気吸引室３２に発生した負圧によって吸引される。そして、捕獲カセット４内部が負圧になるため、蓋４１が開き吸引管２に吸引されたゴキブリは捕獲カセット４の内部に送られ、粘着材４３に埋め込まれる。空気吸引室３２と負圧発生器３１から排出された空気は、排出器３３によって排出音が吸収された後、外部に排出される。
【００１５】
［第２の実施の形態］図２は、第２の実施の形態によるゴキブリ瞬間吸引捕獲器を示す概略縦断面図である。同図において、第１の実施の形態によるゴキブリ瞬間吸引捕獲器と同一の要素には同じ符号を付して説明を省略する。３８は、電動モーターにより駆動され、空気吸引室３２に負圧を発生させる負圧発生器であり、電動送風機などを用いることができる。３９は、負圧発生器３８に電力を供給する充電式の蓄電池、例えば、ニッケル水素電池などである。
【００１６】
【発明の効果】
以上説明したように、請求項１に記載の発明によれば、瞬時にゴキブリを吸引して捕獲できるので、突然出現したゴキブリへの恐怖、不快感を素早く取り除くことが可能になる。また、捕獲したコキブリは捕獲カセットに収納したまま廃棄処理できるので、衛生的に廃棄でき、しかも捕獲したゴキブリを処理するときの不快感をなくすことができる。
【００１７】
また、請求項２に記載の発明によれば、電動送風機などにより空気吸引室に負圧常態を発生させるので、負圧発生器を小型化することが可能になり操作性を向上させ、さらに、使用時間を長くすることができる。
【００１８】
また、請求項３に記載の発明によれば、吸引したゴキブリを捕獲カセットに充填した半固形の粘着材の中に埋め込むことができるので、捕獲したゴキブリが動き出すことを防ぐことができ、さらに、排出された捕獲カセットは蓋によって閉じられており、ゴキブリの存在を意識することなく処理できる。
【図面の簡単な説明】
【図１】本発明の第１の実施の形態によるゴキブリ瞬間吸引捕獲器の概略断面図である。
【図２】本発明の第２の実施の形態によるゴキブリ瞬間吸引捕獲器の概略断面図である。
【図３】捕獲カセットを説明する図である。
【符号の説明】
１  筐体部    ２  吸引管    ３  吸引部    ４  捕獲カセット
１１  捕獲カセット装着手段
２１ａ、ｂ  配管
３１、３８  負圧発生器    ３２  空気吸引室    ３３  排出部
３４  ボンベ    ３５  ボタン    ３６  切り替え器
３７  吸引切り替え器    ３９  蓄電池
４１  蓋    ４２  装着手段    ４３  粘着材
４５ａ、ｂ  空気排出口
【図１】
2004337019.tif 000003
【図２】
2004337019.tif 000004
【図３】
2004337019.tif 000005